(57)【要約】      （修正有）【課題】農業用ハウス内の地面に近い高さに設置された状態で、農作物にもハウスの壁面にも水流が当たることを抑制しつつ、農作物の近い側及び遠い側の散水を行うことが可能な灌水チューブを提供する。【解決手段】農業用ハウス内において地面から２０ｃｍ以下の高さに設置されて使用されるものであり、通水部を備え、通水部には、通水部に近い側の第１の領域と、遠い側の第２の領域とをそれぞれ散水する特定の第１の散水孔１３と特定の第２の散水孔１５とが形成されてなる灌水チューブ。【選択図】図３
2019154408.tif 000002
【特許請求の範囲】
【請求項１】
灌水チューブであって、
前記灌水チューブは、農業用ハウス内にて、地面から２０ｃｍ以下の高さに設置されて農作物の散水に使用されるものであり、
内部に水が通水されるように形成され、且つ、前記内部の水を外部に噴出させる複数の散水孔が長手方向に所定のパターンで形成された通水部を備え、
前記所定のパターンを構成する複数の散水孔として、前記通水部には、農作物のうち前記通水部に近い側の第１の領域と、遠い側の第２の領域とをそれぞれ散水する第１の散水孔と、第２の散水孔とが、それぞれ少なくとも１つ形成されており、
前記灌水チューブが設置されて前記通水部の内部に通水されている状態で、前記通水部の前記長手方向に対する垂直断面の中心を通るように水平方向に沿って前記農作物に向かう方向を正とするＸ軸、前記中心を通るように鉛直方向に沿って上方向を正とするＹ軸をとり、前記通水部の任意の位置をＸＹ直交座標で表すとき、
前記第１の散水孔は、その外側開口の中心を通り且つ前記垂直断面の中心を通る第１の仮想直線と前記Ｘ軸とがなす角度θ１が５０°以上１２５°以下の範囲となる位置に配されており、その外側開口の中心を通り且つ内側開口の中心を通る第２の仮想直線とその外側開口に接する第３の仮想直線とがなす角度ｒ１が１５°以上５０°以下であるように形成され、且つ、その孔径が０．１００〜０．５００ｍｍであるように形成されており、
前記第２の散水孔は、その外側開口の中心を通り且つ前記垂直断面の中心を通る第４の仮想直線と前記Ｘ軸とがなす角度θ２が４０°以上７０°以下の範囲となる位置に配されており、その外側開口の中心を通り且つ内側開口の中心を通る第５の仮想直線とその外側開口に接する第６の仮想直線とがなす角度ｒ２が７０°以上１１０°以下であるように形成され、且つ、その孔径が０．１００〜０．５００ｍｍであるように形成されてなる、灌水チューブ。
【請求項２】
前記所定のパターンを構成する複数の散水孔として、前記通水部には、前記第１の領域と前記第２の領域との間の第３の領域を散水する第３の散水孔がさらに形成されており、
前記第３の散水孔は、その外側開口の中心を通り且つ前記垂直断面の中心を通る第７の仮想直線と前記Ｘ軸とがなす角度θ３が４０°以上１２５°以下の範囲となる位置に配されており、その外側開口の中心を通り且つ内側開口の中心を通る第８の仮想直線とその外側開口に接する第９の仮想直線とがなす角度ｒ３が１５°以上１１０°以下であるように形成され、且つ、その孔径が０．１００〜０．５００ｍｍであるように形成されている、請求項１に記載の灌水チューブ。
【請求項３】
地面に設置されて使用されるものである、請求項１または２に記載の灌水チューブ。
【発明の詳細な説明】
【技術分野】
【０００１】
本発明は、灌水チューブに関する。
【背景技術】
【０００２】
従来、いわゆるビニールハウス等の農業用ハウスを用いて水稲といった農作物の栽培が行われている。かかる農作物の栽培等には、灌水作業が必要であり、かかる灌水作業では、チューブに複数の散水孔が形成されてなる灌水チューブを用いて農作物に水が散布されている。
【０００３】
農作物の潅水においては、ある程度微細な水滴を自由落下に近いスピードで均一に散水することが重要とされている。灌水チューブからの散水において、散水孔から噴出される水は、噴出直後は高速で分散が不十分なため、ある程度の時間をかけて飛行させて微細な水滴化（水滴微細）とし、その速度を減少させることによって、散水範囲の拡大が進むような工夫がなされている。
【０００４】
この種の灌水チューブとして、例えば、支柱等に固定されることによって地面から１３０ｃｍ以上の高さに設置され、垂直散水孔によって近距離、非垂直散水孔によって遠距離の散水を行うように構成された散水チューブが提案されている（特許文献１参照）。
【先行技術文献】
【特許文献】
【０００５】
【特許文献１】国際公開第ＷＯ２０１６／１３６９８８号
【発明の概要】
【発明が解決しようとする課題】
【０００６】
しかし、特許文献１の灌水チューブはハウスの片側もしくは両側にて１３０ｃｍ以上の高さに設置して使用されるように設計されているため、地面に近い低い位置に設置される場合には、農作物のうち近い側の散水領域が狭くなったり、農作物が成長すると、成長した植物に散水が当たったり、遠い側の灌水を十分に行うことが困難になったりするおそれがある。
一方、灌水チューブにおいては、ハウスの壁面に水流が当たることを抑制することも要望されている。
【０００７】
上記事情に鑑み、本発明は、農業用ハウス内の地面に近い高さに設置された状態で、農作物にもハウスの壁面にも水流が当たることを抑制しつつ、農作物の近い側及び遠い側の散水を行うことが可能な灌水チューブを提供することを課題とする。
【課題を解決するための手段】
【０００８】
上記課題を解決すべく、本発明者らが鋭意研究したところ、以下の知見を見出した。
すなわち、特許文献１のように比較的高所に設置される灌水チューブを地面に設置すると、近距離散水孔によって直接農作物に向けて水流が噴出され、この水流が、水滴化される前に農作物に当たってしまうおそれがある。特に、農作物が、水稲である場合には、水流が当たると、折れてしまい、生育が困難となる。また、飛行時間を長くして水滴微細化しようとして上方に向けて散水するように散水孔を形成すると、ハウス壁面に当たるおそれがある。
また、地面のように低い位置から遠距離散水孔によって散水すると、低い角度で散水されることになる。このとき、遠距離散水の位置が低い分、強く水を噴出させる必要があるため、農作物が成長すると、噴出された水流が当たることになり、その結果、農作物が病気になりやすく、また、遠い側の散水が困難となるおそれもある。
このように、農作物のうち近い側及び遠い側のいずれを散水しようとしても、農作物に水流が当たるおそれがあり、近い側を散水しようとすると、ハウスの壁面に水流が当たるおそれがあることを見出した。
【０００９】
かかる知見に基づいてさらに鋭意研究したところ、灌水チューブを地面に近い低い位置に設置した状態で、近距離用の散水孔として特定の形状の散水孔を特定の位置に形成し、遠距離用の散水孔として特定の形状の散水孔を特定の位置に形成することによって、農作物に水流が当たることなく、また、ハウスの壁面に水流が当たることなく、農作物の近い側及び遠い側の散水を行うことが可能になることを見出し、本発明を完成するに至った。
【００１０】
すなわち、本発明に係る灌水チューブは、
灌水チューブであって、
前記灌水チューブは、農業用ハウス内にて、地面から２０ｃｍ以下の高さに設置されて農作物の散水に使用されるものであり、
内部に水が通水されるように形成され、且つ、前記内部の水を外部に噴出させる複数の散水孔が長手方向に所定のパターンで形成された通水部を備え、
前記所定のパターンを構成する複数の散水孔として、前記通水部には、農作物のうち前記通水部に近い側の第１の領域と、遠い側の第２の領域とをそれぞれ散水する第１の散水孔と、第２の散水孔とが、それぞれ少なくとも１つ形成されており、
前記灌水チューブが設置されて前記通水部の内部に通水されている状態で、前記通水部の前記長手方向に対する垂直断面の中心を通るように水平方向に沿って前記農作物に向かう方向を正とするＸ軸、前記中心を通るように鉛直方向に沿って上方向を正とするＹ軸をとり、前記通水部の任意の位置をＸＹ直交座標で表すとき、
前記第１の散水孔は、その外側開口の中心を通り且つ前記垂直断面の中心を通る第１の仮想直線と前記Ｘ軸とがなす角度θ１が５０°以上１２５°以下の範囲となる位置に配されており、その外側開口の中心を通り且つ内側開口の中心を通る第２の仮想直線とその外側開口に接する第３の仮想直線とがなす角度ｒ１が１５°以上５０°以下であるように形成され、且つ、その孔径が０．１００〜０．５００ｍｍであるように形成されており、
前記第２の散水孔は、その外側開口の中心を通り且つ前記垂直断面の中心を通る第４の仮想直線と前記Ｘ軸とがなす角度θ２が４０°以上７０°以下の範囲となる位置に配されており、その外側開口の中心を通り且つ内側開口の中心を通る第５の仮想直線とその外側開口に接する第６の仮想直線とがなす角度ｒ２が７０°以上１１０°以下であるように形成され、且つ、その孔径が０．１００〜０．５００ｍｍであるように形成されて構成されている。
【００１１】
かかる構成によれば、灌水チューブを地面から２０ｃｍ以下という従来よりも低い高さに設置した状態、すなわち、農業用ハウス内の地面に近い高さに設置された状態で、農作物にもハウスの壁面にも水流が当たることを抑制しつつ、農作物の近い側及び遠い側の散水を行うことが可能になる。
【００１２】
上記構成の灌水チューブにおいては、
前記所定のパターンを構成する複数の散水孔として、前記通水部には、前記第１の領域と前記第２の領域との間の第３の領域を散水する第３の散水孔がさらに形成されており、
前記第３の散水孔は、その外側開口の中心を通り且つ前記垂直断面の中心を通る第７の仮想直線と前記Ｘ軸とがなす角度θ３が４０°以上１２５°以下の範囲となる位置に配されており、その外側開口の中心を通り且つ内側開口の中心を通る第８の仮想直線とその外側開口に接する第９の仮想直線とがなす角度ｒ３が１５°以上１１０°以下であるように形成され、且つ、その孔径が０．１００〜０．５００ｍｍであるように形成されていてもよい。
【００１３】
かかる構成によれば、農作物にもハウスの壁面にも水流が当たることを抑制しつつ、より広い領域にわたって農作物の散水を行うことが可能となる。
【００１４】
上記構成の灌水チューブにおいては、
地面に設置されて使用されるものであってもよい。
【００１５】
ここで、地面に設置されるとは、吊り下げられる等、重力に抗して灌水チューブを持ち上げる力が加えられない状態で地面に設置されることを意味する。
【００１６】
一般に、灌水チューブが積雪地域で用いられる場合、通常、雪が降る前に農業用ハウス内で農作物の栽培が終了する。栽培の終了後、ハウスを覆うフィルムが外されて支柱が露出した状態で、冬の間、積雪を受ける。その後、雪が解けて春に栽培が再開されると、再びフィルムが取り付けられ、灌水チューブがそのまま再使用される。
【００１７】
このような積雪地帯において、特許文献１のような灌水チューブが用いられると、冬の間、支柱等の骨組みと共に設置した灌水チューブが積雪を受けるため、支柱に固定するための冶具が雪の重量によって破損してしまうおそれがある。
【００１８】
一方、破損を回避すべく、冶具と共に灌水チューブを支柱から取り外して保管することも考えられるが、灌水チューブを取り外し、再開時に再び設置することは労働負荷がかかるため、作業性に優れるとはいい難い。
【００１９】
しかし、上記の通り、灌水チューブが地面に設置されて使用されるものであることによって、支柱等に固定されることが不要となるため、積雪地域においても作業性に優れる。
【発明の効果】
【００２０】
以上の通り、本発明によれば、農業用ハウス内の地面に近い高さに設置された状態で、農作物にもハウスの壁面にも水流が当たることを抑制しつつ、農作物の近い側及び遠い側の散水を行うことが可能な灌水チューブが提供される。
【図面の簡単な説明】
【００２１】
【図１】本発明の一実施形態の灌水チューブが農業用ハウスに設置された状態を示す概略側面図
【図２】本実施形態の灌水チューブを示す概略斜視図
【図３】各散水孔の形状、及び、形成される位置を示す概略断面図
【図４】第１の散水孔の形状、及び、形成される位置を示す概略断面図
【図５】第２の散水孔の形状、及び、形成される位置を示す概略断面図
【図６】第３の散水孔の形状、及び、形成される位置を示す概略断面図
【図７】本実施形態の灌水チューブによって散水している状態を示す概略側面図
【図８】実験例における第１の散水孔による散水強度を示すグラフ
【図９】実験例における第２の散水孔による散水強度を示すグラフ
【図１０】実施例における第１、第２及び第３の散水孔による散水強度を示すグラフ
【図１１】遮孔率の測定方法を示す概略図
【発明を実施するための形態】
【００２２】
以下、本発明の一実施形態の灌水チューブについて、図面を参照しながら説明する。
【００２３】
図１に示すように、本実施形態の灌水チューブ１０は、農業用ハウス１内に設置されている。
【００２４】
灌水チューブ１０は、内部に水が通水されるように形成され、且つ、前記内部の水を外部に噴出させる複数の散水孔が長手方向に所定のパターンで形成された通水部１１を備える。図２に示すように、本実施形態では、通水部１１は、内部に通水された状態で円筒状であるように形成されている。また、通水部１１の内部には、不図示の給水装置から水が供給されるようになっている。なお、通水されていない場合には、灌水チューブ１０は、平坦な状態となっている。
【００２５】
通水部１１は、内部に水が通水され、複数の散水孔から水を噴出するものである。
通水部１１の厚みは、０．１〜１０ｍｍが好ましく、０．１５〜５ｍｍがより好ましく、０．１５〜３ｍｍがさらに好ましい。
【００２６】
通水されている状態での通水部１１の内径（直径）は、５〜２００ｍｍが好ましく、５〜１５０ｍｍがより好ましく、５〜１００ｍｍがさらに好ましい。
【００２７】
灌水チューブ１０は、農業用ハウス１内における農作物Ｑを挟んだ両端側の位置の少なくとも一方（図１では両端側の位置）にて、地面から２０ｃｍ以下の高さＨに設置されている。
上記高さＨは、通水部１１の最下方と地面とを結ぶ最短距離である。
かかる高さは、１０ｃｍ以下が好ましく、０ｃｍがさらに好ましい。すなわち、灌水チューブ１０が地面に設置されることがさらに好ましい。
【００２８】
灌水チューブ１は、農作物から間隔を空けて設置されており、農作物との距離（最短距離）が、１５ｃｍ以上が好ましく、２０ｃｍ以上がより好ましい。
一方、農作物との距離が、３０ｃｍ以下が好ましく、２５ｃｍ以下がより好ましい。
【００２９】
通水部１１には、上記所定パターンを構成する複数の散水孔として、農作物のうち通水部１１に近い側の第１の領域と、遠い側の第２の領域とをそれぞれ散水する、図３及び図４に示すような第１の散水孔１３と、第２の散水孔１５とが形成されている。
これら第１及び第２の散水孔１３、１５は、通水部１１から水が供給され、該通水部１１内の水圧によって、水を外部に噴出させるものである。
また、本実施形態では、通水部１１に所定のパターンで第１の散水孔１３及び第２の散水孔１５が繰り返し形成されている。
【００３０】
第１の散水孔１３は、灌水チューブ１の散水領域のうち、水滴の到達距離が比較的短い近距離の散水を担っている。
第２の散水孔１５は、灌水チューブ１の散水領域のうち、第１の散水孔１３よりも水滴の到達距離が長い遠距離の散水を担っている。
【００３１】
ここで、図３に、本実施形態の通水部１１に形成される散水孔の形状、通水部１１での位置の表示方法を示す。
本実施形態では、図３に示すように、灌水チューブ１０が設置されて通水部１１の内部に通水されている状態で、通水部１１の上記長手方向に対する垂直断面の中心Ｏを通るように水平方向（図３の右図の左右方向）に沿って農作物Ｑ（図１参照）に向かう方向（図３の右図の右側）を正とするＸ軸、中心Ｏを通るように鉛直方向（図３の右図の上下方向）に沿って上方向（図３の上側）を正とするＹ軸をとり、通水部１１の任意の位置をＸＹ直交座標で表すこととする。
また、通水部１１における散水孔の位置は、図３の右図に示すように、散水孔の外側中心を通り且つ中心Ｏを通る仮想直線Ｌ１、Ｌ４、Ｌ７とＸ軸とがなす角度θで表し、散水孔の形状は、図３の左図に示すように、散水孔の外側中心を通り且つ内側中心を通る仮想直線Ｌ２、Ｌ５、Ｌ８とその外側開口に接する仮想直線Ｌ３、Ｌ６、Ｌ９とがなす角度ｒで表す。
【００３２】
このように表すとき、図４の右図に示すように、第１の散水孔１３は、その外側開口の中心を通り且つ上記垂直断面の中心Ｏを通る第１の仮想直線Ｌ１とＸ軸とがなす角度θ１が５０°以上１２５°以下の範囲となる位置に配されている。
【００３３】
また、図４の左図に示すように、第１の散水孔１３は、その外側開口の中心を通り且つ内側開口の中心を通る第２の仮想直線Ｌ２と、その外側開口に接する第３の仮想直線Ｌ３とがなす角度ｒ１が１５°以上５０°以下であるように形成されている。このような散水孔は、斜め散水孔や、非垂直散水孔と呼ばれる場合がある。
【００３４】
さらに、第１の散水孔１３は、その孔径が０．１００以上０．５００ｍｍ以下の範囲であるように形成されている。
なお、上記孔径とは、通水部１１の外側（表側）から内側（裏側）までの開口部のうち、最も小さい部分の孔径をいう。また、かかる開口の形状が真円でない場合には、開口の面積と同じ面積を有する真円の直径に換算した値を意味する。
【００３５】
上記角度ｒ１は、３０°以上５０°以下の範囲が好ましく、３５°以上５０°以下の範囲がより好ましい。なお、例えばレーザー光で穿孔する場合、角度ｒ１を大きくする程、穿孔時のレーザー光の通水部１１内の通過距離が小さくなるため、裏孔（レーザー光の出口）の孔が大きくなり、孔とび（孔が最後まで空かない）といった穿孔不良が少なくなる傾向にある。この点を考慮すると、上記角度ｒ１が比較的大きい方が好ましい。
上記角度θ１は、９０°以上１２５°以下の範囲が好ましく、１００°以上１２０°以下の範囲がより好ましい。
上記孔径は、０．２００ｍｍ以上０．４００ｍｍ以下の範囲が好ましく、０．３００ｍｍ以上０．４００ｍｍ以下の範囲がより好ましい。なお、上記孔径が比較的大きい方が、大量生産時の孔径振れによる孔とびが少なくなるため、穿孔不良が少なくなる傾向にあることから、好ましい。
【００３６】
図５の右図に示すように、第２の散水孔１５は、その外側開口の中心を通り且つ上記垂直断面の中心Ｏを通る第４の仮想直線Ｌ４とＸ軸とがなす角度θ２が４０°以上７０°以下の範囲となる位置に配されている。
【００３７】
また、図５の左図に示すように、第２の散水孔１５は、その外側開口の中心を通り且つ内側開口の中心を通る第５の仮想直線Ｌ５と、その外側開口に接する第６の仮想直線Ｌ６とがなす角度ｒ２が７０°以上１１０°以下であるように形成されている。このうち、角度ｒ２が９０°であるような散水孔は、垂直散水孔と呼ばれる場合があり、９０°以外の散水孔は、斜め散水孔や、非垂直散水孔と呼ばれる場合がある。
【００３８】
さらに、第２の散水孔１５は、その孔径が０．１００〜０．５００ｍｍであるように形成されている。
なお、上記孔径とは、前述と同様、通水部１１の外側（表側）から内側（裏側）までの開口部のうち、最も小さい部分の孔径をいう。また、かかる開口の形状が真円でない場合には、開口の面積と同じ面積を有する真円の直径に換算した値を意味する。
【００３９】
上記角度ｒ２は、８０°以上１００°以下の範囲が好ましく、８５°以上９５°以下の範囲がより好ましい。
上記角度θ２は、４０°以上６０°以下の範囲が好ましく、５０°以上６０°以下の範囲がより好ましい。
上記孔径は、０．２００ｍｍ以上０．４００ｍｍ以下の範囲が好ましく、０．３００ｍｍ以上０．４００ｍｍ以下の範囲がより好ましい。
【００４０】
農作物への衝突、及び、農業用ハウス１の壁面への衝突を一層抑制するとの観点から、第１の散水孔１３は、通水部１１から農作物側に水平方向且つ灌水チューブ１０と垂直な方向に最短距離で２０ｃｍ離れた位置での散水高さが、通水部１１への給水圧力０．１２ＭＰａの条件下、１００ｃｍ以上１６０ｃｍ以下の範囲であることが好ましく、１２０ｃｍ以上１４０ｃｍ以下の範囲であるように形成されていることがより好ましい。なお、実際の散水は広がっているため、地面から広がっている散水の中心の高さを散水高さと定義する。
【００４１】
同様の観点から、第２の散水孔１５は、通水部１１から農作物側に水平方向且つ灌水チューブ１０と垂直な方向に最短距離で灌水チューブ１０から２０ｃｍ離れた位置での散水高さが、通水部１１への給水圧力０．１２ＭＰａの条件下、２０ｃｍ以上３０ｃｍ以下の範囲であるように形成されていることが好ましく、２０ｃｍ以上２５ｃｍの範囲以下であるように形成されていることがより好ましい。
【００４２】
第１の散水孔１３は、通水部１１への給水圧力０．１２ＭＰａの条件下、灌水チューブ１０から地面（第１の領域）に到達した散水の中心（灌水チューブ１０に垂直な方向における散水の広がりの中心）までの距離（中心飛距離）が２５ｃｍ以上４５ｃｍ以下の範囲であるように形成されていることが好ましく、３０ｃｍ以上４０ｃｍ以下の範囲であるように形成されていることがより好ましい。
このとき、地面（第１の領域）に到達した散水の範囲（灌水チューブ１０に垂直な方向における外縁、すなわち、最小飛距離から最大飛距離までの範囲（距離））は、３０ｃｍ以上６０ｃｍ以下の範囲であることが好ましく、４０ｃｍ以上５０ｃｍ以下の範囲であることがより好ましい。
第２の散水孔１５は、通水部１１への給水圧力０．１２ＭＰａの条件下、灌水チューブ１０から地面（第２の領域）に到達した散水の中心（灌水チューブ１０に垂直な方向における散水の広がりの中心）までの距離（中心飛距離）が２５０ｃｍ以上３３０ｃｍ以下の範囲であるように形成されていることが好ましく、２７０ｃｍ以上３１０ｃｍ以下の範囲であるように形成されていることがより好ましい。
このとき、地面（第２の領域）に到達した散水の範囲（灌水チューブ１０に垂直な方向における外縁、すなわち、最小飛距離から最大飛距離までの範囲（距離））は、１５０ｃｍ以上３００ｃｍ以下の範囲であることが好ましく、２００ｃｍ以上２５０ｃｍ以下の範囲であることがより好ましい。
【００４３】
なお、第１の散水孔１３及び第２の散水孔１５は、それぞれ、通水部１１の周方向において異なる位置に複数配されていても良いし、長手方向において異なる位置に複数配されていても良いし、周方向の異なる位置の孔が長手方向の同一位置に配されても良い。
【００４４】
本実施形態の灌水チューブにおいては、通水部１１に、上記所定パターンを構成する複数の散水孔として、第１の散水孔１３及び第２の散水孔１５に加えて、これら以外の散水孔が形成されていてもよい。
【００４５】
例えば、農作物における第１の散水孔１３によって散水される第１の領域と、第２の散水孔１５によって散水される第２の領域との間が離間しており、これらの領域の間の第３の領域に散水できるような第３の散水孔１７が形成されていてもよい。このような場合、第１の領域と第２の領域との間隔が、灌水チューブ１０と垂直な方向において５０〜２００ｃｍの範囲であることが好ましく、１００〜１５０ｃｍの範囲であることがより好ましい。
【００４６】
第３の散水孔１７は、灌水チューブ１の散水領域のうち、水滴の到達距離が第１の散水孔１３と第２の散水孔１５との間であるような距離の散水を担う。
【００４７】
前述と同様、同様農作物への衝突、及び、農業用ハウス１の壁面への衝突を一層抑制するとの観点から、第３の散水孔１７は、通水部１１から農作物側に水平方向且つ灌水チューブ１０と垂直な方向に最短距離で２０ｃｍ離れた位置での散水高さが、通水部１１への給水圧力０．１２ＭＰａの条件下、２０ｃｍ以上１６０ｃｍ以下の範囲であるように形成されていることが好ましく、２０ｃｍ以上１４０ｃｍの範囲以下であるように形成されていることがより好ましい。
【００４８】
図６の右図に示すように、第３の散水孔１７は、その外側開口の中心を通り且つ上記垂直断面の中心Ｏを通る第７の仮想直線Ｌ７とＸ軸とがなす角度θ３が４０°以上１２５°以下の範囲となる位置に配されている。
【００４９】
また、図６の左図に示すように、第３の散水孔１７は、その外側開口の中心を通り且つ内側開口の中心を通る第８の仮想直線Ｌ８と、その外側開口に接する第９の仮想直線Ｌ９とがなす角度ｒ３が１５°以上１１０°以下であるように形成されている。このうち、角度ｒ３が９０°であるような散水孔は、垂直散水孔と呼ばれる場合があり、９０°以外の散水孔は、斜め散水孔や、非垂直散水孔と呼ばれる場合がある。
【００５０】
さらに、第３の散水孔１７は、その孔径が０．１００〜０．５００ｍｍであるように形成されている。
なお、上記孔径とは、前述と同様、通水部１１の外側（表側）から内側（裏側）までの開口部のうち、最も小さい部分の孔径をいう。また、かかる開口の形状が真円でない場合には、開口の面積と同じ面積を有する真円の直径に換算した値を意味する。
【００５１】
上記角度ｒ３は、３０°以上８０°以下の範囲が好ましく、３５°以上８０°以下の範囲がより好ましく、４０°以上６０°以下の範囲がより好ましい。なお、例えばレーザー光で穿孔する場合、角度ｒ３を大きくする程、穿孔時のレーザー光の通水部１１内の通過距離が小さくなるため、裏孔（レーザー光の出口）の孔が大きくなり、孔とび（孔が最後まで空かない）といった穿孔不良が少なくなる傾向にある。この点を考慮すると、上記角度ｒ３が比較的大きい方が好ましい。
上記角度θ３は、５０°以上１２０°以下の範囲が好ましく、６０°以上１００°以下の範囲がより好ましい。
上記孔径は、０．２００ｍｍ以上０．５００ｍｍ以下の範囲が好ましく、２５０ｍｍ以上５００ｍｍ以下の範囲がより好ましい。なお、上記孔径が比較的大きい方が、大量生産時の孔径振れによる孔とびが少なくなるため、穿孔不良が少なくなる傾向にあることから、好ましい。
【００５２】
第３の散水孔１７は、通水部１１への給水圧力０．１２ＭＰａの条件下、灌水チューブ１０から地面（第３の領域）に到達した散水の中心（灌水チューブ１０に垂直な方向における散水の広がりの中心）までの距離（中心飛距離）が４５ｃｍ以上２４０ｃｍ以下の範囲であるように形成されていることが好ましく、５０ｃｍ以上２００ｃｍ以下の範囲であるように形成されていることがより好ましい。
このとき、地面（第３の領域）に到達した散水の範囲（灌水チューブ１０に垂直な方向における外縁、すなわち、最小飛距離から最大飛距離までの範囲（距離））は、２０ｃｍ以上３００ｃｍ以下の範囲であることが好ましく、３０ｃｍ以上２５０ｃｍ以下の範囲であることがより好ましい。
【００５３】
なお、第３の散水孔１７は、通水部１１の周方向において異なる位置に複数配されていても良いし、長手方向において異なる位置に複数配されていても良いし、周方向の異なる位置の孔が長手方向の同一位置に配されても良い。
第３の散水孔１７が形成されていることによって、図７に示すように、より農作物Ｑの全体にわたる散水が可能となる。
【００５４】
灌水チューブ１０は、該灌水チューブ１０が設置されて通水部１１の内部に通水されている状態で、通水部１１におけるＸ軸の正及び負の少なくとも一方側から突出するフィン部（不図示）を備えていてもよい。例えば、フィン部は、２つ備えられ、これらは、通水部１１におけるＸ軸の正及び負の両方側からそれぞれ突出していてもよい。
【００５５】
通水部１１の材質は、特に限定されるものではない。これらの材質として、例えば、樹脂、ゴム、金属等が挙げられる。これらのうち、樹脂が好ましい。樹脂としては、ポリエチレンやポリプロピレン等のポリオレフィン系樹脂、ポリカーボネートやポリエチレンテレフタレレート等のポリエステル系樹脂などが挙げられる。これらのうち、ポリエチレンが好ましく、低密度ポリエチレンがより好ましい。また、樹脂製の通水部１１にレーザー光の照射によって穿孔する場合には、かかる樹脂にカーボンブラックを添加することが好ましい。
【００５６】
灌水チューブ１０の製造方法は、特に限定されるものではないが、樹脂を原料として、円筒状のダイスを用いた押出し法で樹脂製の筒状チューブを形成した後、該筒状チューブに第１の散水孔１３、第２の散水孔１５、及び、任意に第３の散水孔１７を穿孔し、フィン部をヒートシール等によって形成する方法が挙げられる。
樹脂を原料として、円筒の側面部にフィン形成用の型を有するダイスを用いた押出し法で樹脂製の筒状チューブを形成した後、該筒状チューブに第１の散水孔１３、第２の散水孔１５、及び、任意に第３の散水孔１７を穿孔し、円筒状チューブを重ね合わせるように折り畳んで幅方向両端部をヒートシールすることによってフィン部を形成する方法も挙げられる。
所定の大きさに切断して得られた２枚の樹脂製の長尺原反シートに第１の散水孔１３、第２の散水孔１５、及び、任意に第３の散水孔１７を穿孔した後、これら２枚の長尺原反シートを重ね合わせ、幅方向両端部をヒートシールすることによってフィン部を形成する方法も挙げられる。
【００５７】
上記穿孔方法としては、例えば、通水部１１にレーザー光の照射を行うことが挙げられる。
なお、筒状のチューブを形成した後に穿孔する場合には、該筒状チューブ内に空気が存在し、筒状をなしている状態で、所定の位置に穿孔を行っても、筒状チューブを折り畳んだ状態で、レーザー光が反対側のシート部分に孔を開けないように、所定の位置に穿孔を行ってもよい。
また、２枚の原反シートを重ね合わせて幅方向両端部をヒートシールする場合には、ヒートシールする前に、各原反シート、または、一方の原反シートに穿孔を行うことが好ましく、このように穿孔を行うことによって、穿孔が容易となる。また、このような場合には、通常、筒状とされたときに表面となる側から、穿孔が行われるがこれに限らない。
【００５８】
上記した本実施形態の灌水チューブ１０によれば、第１の散水孔と第２の散水孔とを有することによって、灌水チューブ１０を地面から２０ｃｍ以下という従来よりも低い高さに設置した状態で、すなわち、農業用ハウス内の地面に近い高さに設置された状態で、農作物にもハウスの壁面にも水流が当たることを抑制しつつ、近距離側及び遠距離側の散水を行うことが可能になる。
【００５９】
また、本実施形態の灌水チューブ１０は、第３の散水孔を有することによって、農作物にもハウスの壁面にも水流が当たることを抑制しつつ、より広い領域にわたって農作物の散水を行うことが可能となる。
【００６０】
本実施形態の灌水チューブ１０においては、
地面に設置されて使用されるものであってもよい。
【００６１】
ここで、地面に設置されるとは、吊り下げられる等、重力に抗して灌水チューブを持ち上げる力が加えられない状態で地面に置かれることを意味する。
【００６２】
一般に、灌水チューブ１０が積雪地域で用いられる場合、通常、雪が降る前に農業用ハウス１内で農作物の栽培が終了する。栽培の終了後、ハウスを覆うフィルムが外されて支柱が露出した状態で、冬の間、積雪を受ける。その後、雪が解けて春に栽培が再開されると、再びフィルムが取り付けられ、灌水チューブがそのまま再使用される。
【００６３】
このような積雪地帯において、前述した特許文献１の灌水チューブが用いられると、冬の間、支柱等の骨組みと共に設置した灌水チューブが積雪を受けるため、支柱に固定するための冶具が雪の重量によって破損してしまうおそれがある。
【００６４】
一方、破損を回避すべく、冶具と共に灌水チューブを支柱から取り外して保管することも考えられるが、灌水チューブ１０を取り外し、再開時に再び設置することは労働負荷がかかるため、作業性に優れるとはいい難い。
【００６５】
しかし、上記の通り、灌水チューブ１０が地面に設置されて使用されるものであることによって、支柱等に固定されることが不要となるため、積雪地域においても作業性に優れる。さらに、ハウスの片側または両側隅に設置することによって、農地の耕作や、苗床の設置作業性も良くなる。
【００６６】
以上の通り、本実施形態によれば、農作物にもハウスの壁面にも水流が当たることを抑制しつつ、農作物の近い側及び遠い側の散水を行うことが可能な灌水チューブ１０が提供される。
【実施例】
【００６７】
次に実施例を挙げて本発明を更に詳しく説明するが、本発明はこれらに限定されるものではない。
【００６８】
［実験例］
・灌水チューブの作製
低密度ポリエチレンとカーボンブラックとを、カーボンブラックが総重量の２重量％となるように混合した混合物を原料として使用した。
Ｔダイ押出機を用い、上記混合物をＴダイ押出機に投入して、５５０μｍ厚みのシートに加工し、得られたシートを所定の幅となすように切断してシート片を形成した後、チューブを構成する二枚のシート片のうち、上面を形成する原反の所定の位置に、所定の構造の孔を、ＹＡＧレーザーを用いて穿孔することによって形成した。こうして得られた孔付きシート片を二枚重ね合わせ、幅方向両端部のシール間距離が５３．４ｍｍになるように、両側をヒートシールすることによって、表１、表２に示す所定の孔形状を有する散水孔が所定の位置に１つ穿孔されてなる灌水チューブを、製造した。また、ヒートシールによって、幅方向両端部にフィン部が形成された。このときのヒートシールのシール幅（フィン部の幅）を、４．５ｍｍとした。こうして製造された灌水チューブの内径（直径）は、通水部に水を注加したとき、３４ｍｍφであった。
【００６９】
ＹＡＧレーザーによる実験例１（第１の散水孔）、実験例２（第２の散水孔）、比較実験例１、及び、比較実験例２の穿孔は、シート片を平板上でシート面に対して所定の角度になるようにレーザーを照射することによって行った。
【００７０】
・単孔の評価
実験例１、２、比較実験例１、２の散水孔を、単孔として、評価した。
（灌水強度）
実験例１、２の灌水チューブの、各灌水チューブからの距離と灌水強度（散水強度）との関係を調べた。
灌水チューブからの距離ごとの灌水強度は、正方形のシャーレを散水方向に並べた状態で、灌水チューブから散水を行い（給水圧力０．１２ＭＰａ）、シャーレ内に入った灌水量を測定し、この灌水量を散水強度とした。
実験例１（第１の散水孔）の結果を図８、実験例２（第２の散水孔）の結果を図９に示す。
【００７１】
・農作物及びハウスの壁面への直撃の有無
農業用ハウスに生育させた農作物として水稲に見立てた板（高さ２０ｃｍ）から２０ｃｍ離れた位置の地面に実験例１、２、比較実験例１、２の灌水チューブをそれぞれ設置（灌水チューブの直上９０ｃｍの位置にハウスの壁面が位置するように設置）し、給水圧力０．１２ＭＰａで給水し、各散水孔から水を噴出したときの、水稲への水流の直撃の有無、及び、ハウスの壁面への水流の直撃の有無を、目視によって確認した。なお、実際の散水は広がっているため、地面から広がっている散水の中心がそれぞれ直撃しないかを確認した。
結果を表１、表２に示す。
【００７２】
【表１】
2019154408.tif 000003
【００７３】
【表２】
2019154408.tif 000004
【００７４】
（実施例１）
表３に示すような、灌水チューブに近い位置から遠い位置まで順次散水し得る散水孔を長手方向に有する灌水チューブを、実験例と同様にして作製した。なお、表３には、長手方向における散水孔が形成された位置を、順に、Ｎｏ．１〜Ｎｏ．５と示す。）。
Ｎｏ.１〜Ｎｏ．５の各散水孔の散水距離を、下記の方法に従って測定したところ、以下の通りであった。なお、散水範囲は、散水の最小飛距離から最大飛距離までの範囲（距離）である。
Ｎｏ．１：  散水中心の飛距離：３６ｃｍ
散水範囲        ：１２ｃｍ〜６０ｃｍ
Ｎｏ．２：  散水中心の飛距離：６０ｃｍ
散水範囲        ：４０ｃｍ〜８０ｃｍ
Ｎｏ．３：  散水中心の飛距離：１００ｃｍ
散水範囲        ：５０ｃｍ〜１５０ｃｍ
Ｎｏ．４：  散水中心の飛距離：１７０ｃｍ
散水範囲        ：１００ｃｍ〜２５０ｃｍ
Ｎｏ．５：  散水中心の飛距離：２９０ｃｍ
散水範囲        ：１８０ｃｍ〜４００ｃｍ
【００７５】
各散水孔の遮孔率、散水角度を下記の測定方法によって測定した。
また、作製した灌水チューブを用いて、実験例と同様にして、農作物への水流の直撃の有無、及び、ハウスの壁面への水流の直撃の有無を評価した。
結果を表３に示す。
【００７６】
・散水距離の測定方法
正方形のシャーレを散水方向に並べ、チューブから散水を行い（０．１２ＭＰａ）、チューブから散水の中心までの距離を散水中心の飛距離、水が入ったシャーレの範囲を散水範囲とすることによって、各散水孔からの散水距離を、測定した。
【００７７】
・遮孔率
散水孔を真上から灌水チューブと垂直な方向に向かって顕微鏡にて観察したとき、平面状態に投影したときの散水孔の内側（裏面側）開口の孔径ｂに対する、散水孔の内面によって該内側開口が遮孔（遮蔽）される長さ（遮孔長さ）ｍの比を遮孔率Ｓ（％）とし、遮孔率Ｓ＝ｍ／ｂ×１００で表すことによって、各散水孔の遮光率を測定した。
【００７８】
・散水角度
チューブ孔から水が飛び出す棒状の散水（水流）の角度を、角度計を使用して測定することによって、各散水孔の散水角度を測定した。
【００７９】
【表３】
2019154408.tif 000005
【００８０】
（比較例１）
表４に示すような、灌水チューブに近い位置から遠い位置まで順次散水し得る散水孔を長手方向に有する灌水チューブを、実験例と同様にして作製した。なお、表４には、長手方向における散水孔が形成された位置を、順に、Ｎｏ．１〜Ｎｏ．５と示す。）。
Ｎｏ.１〜Ｎｏ．５の各散水孔の散水距離を、実施例１と同様にして測定したところ、以下の通りであった。
Ｎｏ．１：  散水中心の飛距離：２０ｃｍ
散水範囲        ：０ｃｍ〜４０ｃｍ
Ｎｏ．２：  散水中心の飛距離：６５ｃｍ
散水範囲        ：３０ｃｍ〜１００ｃｍ
Ｎｏ．３：  散水中心の飛距離：１４０ｃｍ
散水範囲        ：８０ｃｍ〜２００ｃｍ
Ｎｏ．４：  散水中心の飛距離：２８５ｃｍ
散水範囲        ：１７０ｃｍ〜４００ｃｍ
Ｎｏ．５：  散水中心の飛距離：３４０ｃｍ
散水範囲        ：２００ｃｍ〜４８０ｃｍ
【００８１】
各散水孔の遮孔率、散水角度を、実施例１と同様にして測定した。
また、作製した灌水チューブを用いて、実験例と同様にして、農作物への水流の直撃の有無、及び、ハウスの壁面への水流の直撃の有無を評価した。
結果を表４に示す。
【００８２】
【表４】
2019154408.tif 000006
【００８３】
表３、４に示すように、実施例１の灌水チューブでは、水稲への水流の直撃も、ハウスの壁面への水流の直撃も観察されなかった。
【符号の説明】
【００８４】
１：農業用ハウス、１０：灌水チューブ、１１：通水部、１３：第１の散水孔、１５：第２の散水孔、１７：第３の散水孔
【図１】
2019154408.tif 000007
【図２】
2019154408.tif 000008
【図３】
2019154408.tif 000009
【図４】
2019154408.tif 000010
【図５】
2019154408.tif 000011
【図６】
2019154408.tif 000012
【図７】
2019154408.tif 000013
【図８】
2019154408.tif 000014
【図９】
2019154408.tif 000015
【図１０】
2019154408.tif 000016
【図１１】
2019154408.tif 000017